(57)【要約】
【課題】　キャビネットの強度と射出成形時の成形性との両立が図られた電気機器のキャビネットを提供する。
【解決手段】　本考案に基づくテレビ受像機１にあっては、ＣＲＴ１０がフロントキャビネット３０とリヤキャビネット２０とによって挟持されている。リヤキャビネット２０は、ＣＲＴ１０を受け入れる収容部２２と、前面開口２２ａの周縁から前方に向かって突出して設けられたリブ２３ａ，２３ｂとを有している。リブ２３ａ，２３ｂは、コーナー部２４において不連続となっている。リヤキャビネット２０の天面２１ａおよび側面２１ｂは、収容部２２内において補強枠２５によって連結されている。補強枠２５は、その断面が略Ｌ字状であり、かつリヤキャビネット２０の背面２１ｄに連結している。リヤキャビネット２０の天面２１ａ側に位置するリブ２３ａは、その端部が補強リブによって下方から支持されている。
【選択図】　　　　図１
0003099958.tif 000002
【実用新案登録請求の範囲】
【請求項１】
　映像を表示するためのＣＲＴ（１０）と、前記ＣＲＴ（１０）の前部を覆うフロントキャビネット（３０）と、前記ＣＲＴ（１０）の後部を覆うリヤキャビネット（２０）とを備え、前記ＣＲＴ（１０）が前記フロントキャビネット（３０）と前記リヤキャビネット（２０）とによって挟持されてなる映像表示装置であって、
　前記リヤキャビネット（２０）は、前記ＣＲＴ（１０）を受け入れる前面開口（２２ａ）を含む収容部（２２）と、前記前面開口（２２ａ）の周縁から前方に向かって突出して設けられ、前記フロントキャビネット（３０）と嵌合するリブ（２３ａ，２３ｂ）とを含み、
　前記前面開口（２２ａ）のコーナー部（２４）において、前記リブ（２３ａ，２３ｂ）は不連続となっており、
　前記リヤキャビネット（２０）の天面（２１ａ）および側面（２１ｂ）は、前記収容部（２２）内において補強枠（２５）によって連結されており、
　前記補強枠（２５）は、前記前面開口（２２ａ）を含む面と平行な面における断面形状が略Ｌ字状であり、かつ前記リヤキャビネット（２０）の背面（２１ｄ）に連結しており、
　前記リヤキャビネット（２０）の天面（２１ａ）側に位置するリブ（２３ａ）は、その端部が補強リブ（２６ａ）によって下方から支持されている、映像表示装置。
【請求項２】
　電気機器の前部を覆うフロントキャビネット（３０）と、電気機器の後部を覆うリヤキャビネット（２０）とを備え、前記フロントキャビネット（３０）と前記リヤキャビネット（２０）とが嵌合されてなる電気機器のキャビネットであって、
　前記リヤキャビネット（２０）は、内部構成部品を受け入れる前面開口（２２ａ）を含む収容部（２２）と、前記前面開口（２２ａ）の周縁から前方に向かって突出して設けられ、前記フロントキャビネット（３０）と嵌合するリブ（２３ａ，２３ｂ）とを含み、
　前記前面開口（２２ａ）のコーナー部（２４）において、前記リブ（２３ａ，２３ｂ）は不連続となっており、
　前記リヤキャビネット（２０）の天面（２１ａ）および側面（２１ｂ）は、前記収容部（２２）内において補強枠（２５）によって連結されており、
　前記リヤキャビネット（２０）の天面（２１ａ）側に位置するリブ（２３ａ）は、その端部が補強リブ（２６ａ）によって下方から支持されている、電気機器のキャビネット。
【請求項３】
　前記補強枠（２５）は、前記リヤキャビネット（２０）の背面（２１ｄ）に連結している、請求項２に記載の電気機器のキャビネット。
【請求項４】
　前記前面開口（２２ａ）を含む面と平行な面における前記補強枠（２５）の断面形状が、略Ｌ字状である、請求項２または３に記載の電気機器のキャビネット。
【請求項５】
　前記リヤキャビネット（２０）の側面（２１ｂ）側に位置するリブ（２３ｂ）は、その端部が補強リブ（２６ｂ）によって側方から支持されている、請求項２から４のいずれかに記載の電気機器のキャビネット。
【請求項６】
　前記内部構成部品は、ＣＲＴ（１０）である、請求項２から５のいずれかに記載の電気機器のキャビネット。
【考案の詳細な説明】
【技術分野】
【０００１】
　本考案は、電気機器のキャビネットおよびこれを備えた映像表示装置に関し、より具体的には、フロントキャビネットおよびリヤキャビネットからなる電気機器のキャビネットおよびこれを備えた映像表示装置に関するものである。
【背景技術】
【０００２】
　ブラウン管であるＣＲＴ（Cathode-Ray Tube）を表示部として有する映像表示装置として、テレビ受像機が知られている。一般的にＣＲＴを備えたテレビ受像機は、図６に示す如くの組立て構造にて製作される。
【０００３】
　図６に示すように、映像表示面１１を前面に有するＣＲＴ１０は、リヤキャビネット２０の前面に設けられた前面開口２２ａを介してリヤキャビネット２０の収容部２２内に収容され、表示窓３２を有するフロントキャビネット３０によってその前部が覆われる。具体的には、リヤキャビネット２０の前面開口２２ａの周縁に設けられたリブ２３ａ，２３ｂがフロントキャビネット３０に嵌め合わされて、リヤキャビネット２０とフロントキャビネット３０が固定される。これにより、ＣＲＴ１０は、フロントキャビネット３０とリヤキャビネット２０とによって挟持された状態で支持されることになる。
【０００４】
　このようなテレビ受像機においては、製品輸送時に加わる外力に対してキャビネットが十分な強度を有している必要がある。通常、テレビ受像機は、段ボールや発泡スチロール等によって梱包された状態で輸送される。このため、製品の設計段階においては、梱包状態にある製品を所定の高さから落下させて擬似的に外力を加える落下試験が繰り返し行なわれ、所定の基準を満たすようにキャビネットの構造決定や材料選択が行なわれる。
【０００５】
　上記組付け構造のテレビ受像機１に外力を加えた場合には、フロントキャビネット３０とリヤキャビネット２０との嵌合部であるリヤキャビネット２０のコーナー部２４にストレスが集中し、リヤキャビネット２０に設けられたリブ２３の角にクラックが発生する。このため、従来においては、コーナー部２４に何らかの補強構造を付与することにより、外力に対する強度の確保が行なわれていた。
【０００６】
　これに対し、コーナー部２４に補強構造を付与するのではなく、コーナー部２４に位置するリブ２３の形状に軽微な変更を加えるのみでこの問題の解決を図った考案として、特開平１１−２１５４４９号公報（特許文献１）に開示の考案がある。特許文献１には、図６において破線で囲んだコーナー領域４０におけるリヤキャビネットの構造を図７に示す如くの構造にしたテレビ受像機と、図８に示す如くの構造にしたテレビ受像機とが開示されている。
【０００７】
　図７に示すテレビ受像機は、リヤキャビネット２０のコーナー部２４におけるリブの形状を、リヤキャビネット２４の前面開口２２ａの内方に向かって屈曲させたものである。すなわち、リヤキャビネット２０の天面２１ａ側に位置するリブ２３ａと、リヤキャビネット２０の側面２１ｂ側に位置するリブ２３ｂとが、Ｌ字状に屈曲したリブ２３ｃによって連結された構造である。
【０００８】
　また、図８に示すテレビ受像機は、リヤキャビネット２０のコーナー部２４において、リブ２３ａ，２３ｂを一部欠如させた構造である。
【０００９】
　これらの形状のリヤキャビネットを備えたテレビ受像機とすることにより、コーナー部においてフロントキャビネットとリヤキャビネットのリブとが直接接触することが回避されるようになるため、外力が加わった場合にもコーナー部のリブにストレスが集中することが回避されるようになり、結果としてキャビネットの破損が防止されるようになる。
【００１０】
　しかしながら、上述の図７および図８に示すキャビネット構造を採用した場合には、テレビ受像機自体の重量が増すにつれ、破損防止効果が減少する問題があった。すなわち、画面サイズが比較的小さい軽量小型のテレビ受像機においては、上記キャビネット構造を採用することにより効果的に破損が防止されるのに対し、画面サイズが比較的大きい大型のテレビ受像機や、ビデオレコーダ一体型テレビ受像機やＤＶＤ（Digital Versatile Disc）プレーヤ一体型テレビ受像機などの比較的重量の重いテレビ受像機においては、上記構造とした場合にもリブの屈曲部や端部に破損が生じてしまうことがあった。これは、リブ自体の強度不足から生じるものと考えられ、比較的重量の重い大型のテレビ受像機においては、やはり何らかの補強構造を採用することが必要となる。
【００１１】
　しかしながら、リヤキャビネットのコーナー部における強度を向上させるために複雑な補強構造を採用したのでは、成形性の点で難が生じる。すなわち、リヤキャビネットは樹脂材料を原料とした射出成形によって一体的に形成される場合が多いが、このときリヤキャビネットのコーナー部の形状が複雑である場合にはこの部分において熱ごもりが発生し易くなり、他の部位に比べて冷却に長時間を要し、生産性が大幅に悪化することが懸念されるようになる。また、コーナー部の形状が複雑化することにより成形不良が発生するおそれも高くなり、歩留まりが大幅に低下することが懸念されるようになる。
【特許文献１】特開平１１−２１５４４９号公報
【考案の開示】
【考案が解決しようとする課題】
【００１２】
　本考案は、キャビネットの強度と射出成形時の成形性との両立が図られた電気機器のキャビネットおよびこれを備えた映像表示装置を提供することを目的とする。
【課題を解決するための手段】
【００１３】
　本考案に基づく映像表示装置は、映像を表示するためのＣＲＴと、ＣＲＴの前部を覆うフロントキャビネットと、ＣＲＴの後部を覆うリヤキャビネットとを備え、ＣＲＴがフロントキャビネットとリヤキャビネットとによって挟持されてなる映像表示装置である。リヤキャビネットは、ＣＲＴを受け入れる前面開口を含む収容部と、前面開口の周縁から前方に向かって突出して設けられ、フロントキャビネットと嵌合するリブとを含んでいる。上記リブは、前面開口のコーナー部において不連続となっている。リヤキャビネットの天面および側面は、収容部内において補強枠によって連結されている。補強枠は、前面開口を含む面と平行な面における断面形状が略Ｌ字状であり、かつリヤキャビネットの背面に連結している。リヤキャビネットの天面側に位置する上記リブは、その端部が補強リブによって下方から支持されている。
【００１４】
　このように、リヤキャビネットの天面および側面を収容部内において補強枠によって連結し、この補強枠をキャビネットの背面にまで延在させることにより、コーナー部の強度が大幅に向上するようになる。また、天面側のリブの端部を補強リブによって支持することにより、天面側リブの強度も向上する。この結果、前面開口のコーナー部における耐衝撃性が大幅に向上し、キャビネットが破損することが防止されるようになる。また、上記補強構造を採用することにより、コーナー部の形状が複雑化することも回避されるため、射出成形時の成形性が向上し、熱ごもりが生じるおそれもない。したがって、キャビネットの強度と射出成形時の成形性との両立が図られるようになる。
【００１５】
　本考案に基づく電気機器のキャビネットは、電気機器の前部を覆うフロントキャビネットと、電気機器の後部を覆うリヤキャビネットとを備え、フロントキャビネットとリヤキャビネットとが嵌合されてなる電気機器のキャビネットである。リヤキャビネットは、内部構成部品を受け入れる前面開口を含む収容部と、前面開口の周縁から前方に向かって突出して設けられ、フロントキャビネットと嵌合するリブとを含む。前面開口のコーナー部において、上記リブは不連続となっている。リヤキャビネットの天面および側面は、収容部内において補強枠によって連結されている。リヤキャビネットの天面側に位置する上記リブは、その端部が補強リブによって下方から支持されている。
【００１６】
　このように、リヤキャビネットの天面および側面を収容部内において補強枠によって連結することにより、コーナー部の強度が向上する。また、天面側のリブの端部を補強リブによって支持することにより、天面側リブの強度も向上する。この結果、前面開口のコーナー部における耐衝撃性が向上し、キャビネットが破損することが防止されるようになる。また、上記補強構造を採用することにより、コーナー部の形状が複雑化することも回避されるため、射出成形時の成形性が向上し、熱ごもりが生じるおそれもない。したがって、キャビネットの強度と射出成形時の成形性との両立が図られるようになる。
【００１７】
　上記本考案に基づく電気機器のキャビネットにあっては、補強枠がリヤキャビネットの背面に連結していることが好ましい。
【００１８】
　このように、補強枠をキャビネットの背面にまで延在させることにより、コーナー部に加わった外力をキャビネット背面に逃がすことが可能になるため、耐衝撃性が一層向上する。
【００１９】
　上記本考案に基づく電気機器のキャビネットにあっては、前面開口を含む面と平行な面における補強枠の断面形状が略Ｌ字状であることが好ましい。
【００２０】
　このように、補強枠の断面形状を略Ｌ字状とすることにより構造が簡素化するため、射出成形時の成形性が向上する。
【００２１】
　上記本考案に基づく電気機器のキャビネットにあっては、リヤキャビネットの側面側に位置する上記リブの端部が、補強リブによって側方から支持されていることが好ましい。
【００２２】
　このように、側面側のリブの端部を補強リブによって支持することにより、側面側リブの強度が向上する。この結果、前面開口のコーナー部における耐衝撃性が向上し、キャビネットが破損することが防止されるようになる。
【００２３】
　上記本考案に基づく電気機器のキャビネットにあっては、内部構成部品がたとえばＣＲＴである。
【００２４】
　このように構成することにより、ＣＲＴのような重量物をキャビネット内部に組付けた場合にもキャビネットの耐衝撃性が高く維持されるため、キャビネットの破損が防止されるようになる。
【考案の効果】
【００２５】
　本考案により、キャビネットの強度と射出成形時の成形性との両立が図られた電気機器のキャビネットおよびこれを備えた映像表示装置を提供することが可能となり、高信頼性の製品を廉価に提供することが可能になる。
【考案を実施するための最良の形態】
【００２６】
　以下、本考案の一実施の形態について、図を参照して説明する。なお、以下に示す実施の形態においては、電気機器としてテレビ受像機を例示して説明を行なう。
【００２７】
　図１は、本考案の実施の形態におけるテレビ受像機の組付け構造を示す概略斜視図である。まず、図１を参照して、本実施の形態におけるテレビ受像機の組付け構造について説明する。
【００２８】
　図１に示すように、本実施の形態におけるテレビ受像機１は、映像を表示するためのＣＲＴ１０と、内部構成部品としてのこのＣＲＴ１０を覆う筐体であるフロントキャビネット３０およびリヤキャビネット２０とを備えている。
【００２９】
　ＣＲＴ１０は、その前面に映像を表示するための映像表示面１１を有している。
【００３０】
　リヤキャビネット２０は、ＣＲＴ１０を受入れる前面開口２２ａを含む収容部２２を有しており、天面２１ａ、側面２１ｂ、底面２１ｃおよび背面２１ｄからなる箱形状を有している。リヤキャビネット２０の前面開口２２ａの周縁には、前方に向かって突出して形成されたリブ２３ａ，２３ｂが位置している。このうち、リブ２３ａは天面２１ａ側に設けられたリブであり、リブ２３ｂは側面２１ｂ側に設けられたリブである。これらリブ２３ａ，２３ｂは、フロントキャビネット３０と嵌合する部位であり、組立て時においてフロントキャビネット３０とリヤキャビネット２０との嵌め合わせをガイドする機能を果たす部位でもある。
【００３１】
　フロントキャビネット３０は、後面開口の箱形状を有しており、その前面には、組み込まれたＣＲＴ１０の映像表示面１１を露出させるための表示窓３２が設けられている。
【００３２】
　ＣＲＴ１０は、リヤキャビネット２０の前面に設けられた前面開口２２ａを介してリヤキャビネット２０の収容部２２内に収容され、フロントキャビネット３０によってその前部が覆われる。すなわち、ＣＲＴ１０は、フロントキャビネット３０とリヤキャビネット２０とによって挟持された状態で支持されることになる。この状態において、ＣＲＴ１０の前面に位置する映像表示面１１は、フロントキャビネット３０に設けられた表示窓３２を介して露出した状態となる。
【００３３】
　図２は、本実施の形態における映像表示装置のリヤキャビネットのコーナー部の形状を示す斜視図であり、図１に示すコーナー領域４０の拡大図である。また、図３は、このコーナー部を前方から見た図であり、図４は、側方から見た図である。これら図２ないし図４を参照して、本実施の形態におけるテレビ受像機のリヤキャビネットのコーナー部の構造について詳細に説明する。
【００３４】
　図２ないし図４に示すように、リヤキャビネット２０のコーナー部２４において、上述の前面開口２２ａの周縁に設けられたリブ２３ａ，２３ｂは、不連続となっている。すなわち、リヤキャビネット２０の天面２１ａ側に位置するリブ２３ａと、リヤキャビネット２０の側面２１ｂ側に位置するリブ２３ｂとは分割されている。そして、リヤキャビネット２０の天面２１ａと、リヤキャビネット２０の側面２１ｂとは、コーナー部２４に隣接する収容部２２内において補強枠２５によって連結されている。
【００３５】
　補強枠２５は、リヤキャビネット２０の前面開口２２ａを含む面と平行な面における断面形状がＬ字状となっている。また、補強枠２５は、リヤキャビネット２０の収容部２２内において、前面開口２２ａを含む面から後方に向かって延在し、リヤキャビネット２０の背面２１ｄにまで達して背面２１ｄに連結している。この補強枠２５は、リヤキャビネット２０の射出成形時に、天面２１ａ、側面２１ｂおよび背面２１ｄと連結するように一体的に形成される。
【００３６】
　リヤキャビネット２０の天面２１ａ側に位置するリブ２３ａは、その端部が補強リブ２６ａによって下方から支持されている。この補強リブ２６ａは、補強枠２５からリヤキャビネット２０の天面２１ａ側に位置するリブ２３ａの下面にまで延びており、リブ２３ａを補強するものである。なお、この補強リブ２６ａは、リヤキャビネット２０の射出成形時に、リヤキャビネット２０の他の部位と一体的に形成される。
【００３７】
　上述のように本実施の形態におけるテレビ受像機１においては、リヤキャビネット２０のコーナー部２４において、リヤキャビネット２０の天面２１ａ、側面２１ｂおよび背面２１ｄが補強枠２５によって収容部２２内において連結されている。このように構成することにより、コーナー部２４に加わったストレスがリヤキャビネット２０の各面２１ａ，２１ｂ，２１ｄに分散されるようになるため、耐衝撃性が大幅に向上するようになる。
【００３８】
　また、上述のように本実施の形態におけるテレビ受像機１においては、リブ２３ａ，２３ｂがコーナー部において欠如した構成となっている。このため、コーナー部２４に加わったストレスがリブ２３ａ，２３ｂに集中することが回避されるようになり、リブ２３ａ，２３ｂの破損が防止されるようになる。また、本実施の形態におけるテレビ受像機１においては、天面２１ａ側に位置するリブ２３ａの端部が補強リブ２６ａによって支持されている。このため、リブ２３ａに加わったストレスも補強リブ２６ａを介して補強枠２５に分散するようになるため、リブ２３ａが破損することが防止されるようになる。
【００３９】
　以上のように、本実施の形態におけるテレビ受像機にあっては、リヤキャビネットのコーナー部における耐衝撃性が大幅に向上するため、キャビネットの破損が効果的に防止されるようになる。また、コーナー部の形状が複雑化することも回避されているため、射出成形時の成形性が向上し、熱ごもりが生じるおそれもない。したがって、キャビネットの強度と射出成形時の成形性との両立が図られるようになる。
【００４０】
　（梱包状態における落下試験による効果の確認）
　考案者は、上述の実施の形態におけるリヤキャビネット構造を備えたテレビ受像機の耐衝撃性と、従来のリヤキャビネット構造を備えたテレビ受像機の耐衝撃性とを比較するため、梱包状態における落下試験を行なった。以下にその試験条件と試験結果を示す。
【００４１】
　サンプルとしては、上述の実施の形態におけるリヤキャビネット構造を備えたＤＶＤプレーヤ一体型テレビ受像機（実施例）と、図８に示す従来のリヤキャビネット構造を備えたビデオレコーダ一体型テレビ受像機（比較例）とを用意した。これらサンプルはいずれも１９インチのＣＲＴを備えたテレビ受像機であり、その重量はほぼ同じである。試験装置としては、スウィンガー式の落下試験装置を用い、上記サンプルを高さ６０ｃｍの位置から床面に向けて落下させた。落下させる試験サンプルは、いずれも衝撃緩衝材として発泡スチロールを用い、段ボール箱内に梱包されている。また、落下試験としては、段ボール箱の特定のコーナー部を床面に衝突させる、いわゆる一角三梁落下試験を採用した。
【００４２】
　上記条件にて行なった落下試験の試験結果を以下の表１に示す。
【００４３】
【表１】
0003099958.tif 000003
【００４４】
　表１に示すように、従来のリヤキャビネット構造を備えたビデオレコーダ一体型テレビ受像機（比較例）においては、いずれの場合にもリヤキャビネットのリブに破損が確認された。これに対し、上述の実施の形態におけるリヤキャビネット構造を備えたＤＶＤプレーヤ一体型テレビ受像機（実施例）においては、いずれの場合にもリブを含むキャビネットに破損は確認されなかった。このように、上述の実施の形態のリヤキャビネット構造を採用することにより、従来よりも大幅に耐衝撃性が向上することが確認された。
【００４５】
　なお、上述の実施の形態においては、図２に示すように、リヤキャビネット２０の天面２１ａ側に設けられたリブ２３ａにのみ補強のための補強リブ２６ａを設けた場合を例示したが、図５に示すように、リヤキャビネット２０の側面２１ｂ側に設けられたリブ２３ｂにも、側方からリブ２３ｂを補強する補強リブ２６ｂを設けてもよい。このように構成することにより、さらなる耐衝撃性の向上が図られ、外力に対するキャビネットの強度が向上するようになる。
【００４６】
　また、上述の実施の形態においては、図２に示すように、補強リブ２６ａが補強枠２５の中間位置にまでしか達していない形状とした場合を例示しているが、特にこのような形状に限定されるものではなく、たとえば、補強枠２５の屈曲部にまで達すような形状としてもよい。
【００４７】
　また、本考案はテレビ受像機やビデオレコーダ一体型テレビ受像機、ＤＶＤプレーヤ一体型テレビ受像機、パーソナルコンピュータ用のモニターなどに代表される映像表示装置のみに適用されるものではなく、重量物をキャビネット内部に備えた電気機器であればどのようなものにも適用可能である。
【００４８】
　このように、今回開示した上記実施の形態はすべての点で例示であって、制限的なものではない。本考案の技術的範囲は実用新案登録請求の範囲によって画定され、また実用新案登録請求の範囲の記載と均等の意味および範囲内でのすべての変更を含むものである。
【図面の簡単な説明】
【００４９】
【図１】本考案の実施の形態におけるテレビ受像機の組付け構造を示す概略斜視図である。
【図２】本実施の形態におけるテレビ受像機のリヤキャビネットのコーナー部の形状を示す斜視図である。
【図３】図２に示すリヤキャビネットのコーナー部を前方から見た図である。
【図４】図２に示すリヤキャビネットのコーナー部を側方から見た図である。
【図５】本考案の実施の形態におけるテレビ受像機の変形例を示すリヤキャビネットのコーナ部の斜視図である。
【図６】一般的なテレビ受像機の組付け構造を示す概略斜視図である。
【図７】従来例におけるテレビ受像機のリヤキャビネットのコーナー部の構造を示す斜視図である。
【図８】従来例におけるテレビ受像機のリヤキャビネットのコーナー部の他の構造を示す斜視図である。
【符号の説明】
【００５０】
　１　テレビ受像機、１０　ＣＲＴ、１１　映像表示面、２０　リヤキャビネット、２１ａ　天面、２１ｂ　側面、２１ｃ　底面、２１ｄ　背面、２２　収容部、２２ａ　前面開口、２３ａ，２３ｂ　リブ、２４　コーナー部、２５　補強枠、２６ａ，２６ｂ　補強リブ、３０　フロントキャビネット、３２　表示窓。
【図１】
0003099958.tif 000004
【図２】
0003099958.tif 000005
【図３】
0003099958.tif 000006
【図４】
0003099958.tif 000007
【図５】
0003099958.tif 000008
【図６】
0003099958.tif 000009
【図７】
0003099958.tif 000010
【図８】
0003099958.tif 000011